(57)【要約】【課題】  衝突時、自車に対する衝撃力の入力位置を、応答良く、かつ、精度良く検出することができる車両の衝突位置検出装置を提供すること。【解決手段】  衝突時、自車に対する衝撃力の入力位置を検出する車両の衝突位置検出装置であって、自車への衝撃力を検出して信号を出力する少なくとも３個の衝突センサ501,502,503を備え、前記少なくとも３個の衝突センサ501,502,503は、車両全周の衝撃入力位置を、選択した２個の衝突センサと等距離にある車両周上位置を境として複数の領域に分けたとき、各領域で異なる検出順序となる車両位置に配置し、衝突時、前記少なくとも３個の衝突センサ501,502,503からの衝撃力の検出順序により自車への衝撃力の入力位置を特定する衝撃入力位置特定手段（ステップＳ２）を設けた。【選択図】        図２
2007176307.tif 000002
【特許請求の範囲】
【請求項１】
衝突時、自車に対する衝撃力の入力位置を検出する車両の衝突位置検出装置であって、
自車への衝撃力を検出して信号を出力する少なくとも３個の衝突センサを備え、
前記少なくとも３個の衝突センサは、車両全周の衝撃入力位置を、選択した２個の衝突センサと等距離にある車両周上位置を境として複数の領域に分けたとき、各領域で異なる検出順序となる車両位置に配置し、
衝突時、前記少なくとも３個の衝突センサからの衝撃力の検出順序により自車への衝撃力の入力位置を特定する衝撃入力位置特定手段を設けたことを特徴とする車両の衝突位置検出装置。
【請求項２】
請求項１に記載された車両の衝突位置検出装置において、
前記衝撃入力位置特定手段は、衝突時、前記少なくとも３個の衝突センサからの衝撃力の検出順序により自車への衝撃力の入力存在領域を決め、決めた入力存在領域にてセンサ間の検出タイミングのずれ量である位相差により自車への衝撃力の入力位置を特定することを特徴とする車両の衝突位置検出装置。
【請求項３】
請求項１または２に記載された車両の衝突位置検出装置において、
前記衝突センサとして、車両フロントの中央位置に配置した第１衝突センサと、車両中央部の右側位置に配置した第２衝突センサと、車両中央部の左側位置に配置した第３衝突センサと、を用いたことを特徴とする車両の衝突位置検出装置。
【請求項４】
請求項１乃至３の何れか１項に記載された車両の衝突位置検出装置において、
前記第１衝突センサ、第２衝突センサ、第３衝突センサは、自車への所定値以上の衝撃力の入力に対しパルス信号を出力するオン/オフスイッチであることを特徴とする車両の衝突位置検出装置。
【請求項５】
請求項１乃至４の何れか１項に記載された車両の衝突位置検出装置において、
車両に衝突時に乗員を保護する複数の乗員保護装置と、
前記衝撃入力位置特定手段により自車への衝撃力の入力位置が特定された場合、特定された入力位置に応じて複数の乗員保護装置の作動タイミングを設定し、設定されたタイミングにて複数の乗員保護装置の作動を制御する乗員保護装置作動制御手段と、
を設けたことを特徴とする車の衝突位置検出装置。
【請求項６】
請求項５に記載された車両の衝突位置検出装置において、
前記複数の乗員保護装置は、運転席エアバックと、助手席エアバックと、右サイドエアバックと、左サイドエアバックであり、
前記乗員保護装置作動制御手段は、前記衝撃入力位置特定手段により自車への衝撃力の入力位置が特定された場合、特定された入力位置に近い位置のエアバックの展開を優先する展開順序により作動タイミングを設定し、設定されたタイミングにて複数のエアバックの作動を制御することを特徴とする車の衝突位置検出装置。
【請求項７】
請求項１乃至６の何れか１項に記載された車両の衝突位置検出装置において、
車両挙動を検出する車両挙動検出手段と、
前記衝撃入力位置特定手段により自車への衝撃力の入力位置が特定された場合、衝突開始時から衝突完了までの前記車両挙動検出手段による車両挙動検出結果に基づき、衝撃力の大きさを把握する衝撃力把握手段と、
を設けたことを特徴とする車両の衝突位置検出装置。
【請求項８】
請求項７に記載された車両の衝突位置検出装置において、
衝突完了後、事故発生場所及び事故後に車両が存在する場所を特定する事故位置特定手段と、
前記衝撃力把握手段により把握された衝撃力の大きさに応じて衝突程度を決め、衝突程度を切り分けられるダイアグ確認方法に基づき、自車システムのダイアグ発生状況を確認するダイアグ確認手段と、
確認したダイアグ発生状況と事故位置を含む事故情報を外部レスキュー部隊へと発信する事故情報発信手段と、
を設けたことを特徴とする車両の衝突位置検出装置。
【請求項９】
衝突時、自車に対する衝撃力の入力位置を検出する車両の衝突位置検出装置であって、
自車への衝撃力を検出して信号を出力する少なくとも３個の衝突センサを備え、
前記少なくとも３個の衝突センサは、車両全周の衝撃入力位置を、選択した２個の衝突センサと等距離にある車両周上位置を境として複数の領域に分けたとき、各領域で異なる検出順序となる車両位置に配置し、
衝突時、前記少なくとも３個の衝突センサからの衝撃力の検出順序により自車への衝撃力の入力存在領域を決めることで自車への衝撃力の入力位置を特定することを特徴とする車両の衝突位置検出装置。
【発明の詳細な説明】
【技術分野】
【０００１】
本発明は、衝突時、自車に対する衝撃力の入力位置を検出する車両の衝突位置検出装置の技術分野に属する。
【背景技術】
【０００２】
従来、車両の前後方向の減速度を検出するXGセンサと、車両の左右方向の減速度を検出するYGセンサと、を備え、衝突時、XGセンサからの出力信号を時間について積分し、前後方向の減速度ベクトルを演算し、また、YGセンサからの出力信号を時間について積分し、左右方向の減速度ベクトルを演算し、前後方向の減速度ベクトルと左右方向の減速度ベクトルとの合力ベクトルを求め、衝突の大きさと方向を特定するものが知られている（例えば、特許文献１参照。）。
【特許文献１】特開平５−１９３４３９号公報
【発明の開示】
【発明が解決しようとする課題】
【０００３】
しかしながら、従来の車両の衝突方向検出装置にあっては、XGセンサとYGセンサからの出力信号を時間について積分演算処理を必要とするものであるため、演算量が多く、演算時間が長くなってしまい、演算時間を短時間に設定すれば衝突方向の検出精度が低くなるし、演算時間を長時間に設定すれば衝突方向を特定するまでに時間がかかってしまい、衝突方向情報に基づいて作動するエアバック等の展開タイミングが遅れてしまう、という問題があった。
【０００４】
本発明は、上記問題に着目してなされたもので、衝突時、自車に対する衝撃力の入力位置を、応答良く、かつ、精度良く検出することができる車両の衝突位置検出装置を提供することを目的とする。
【課題を解決するための手段】
【０００５】
上記目的を達成するため、本発明では、衝突時、自車に対する衝撃力の入力位置を検出する車両の衝突位置検出装置であって、
自車への衝撃力を検出して信号を出力する少なくとも３個の衝突センサを備え、
前記少なくとも３個の衝突センサは、車両全周の衝撃入力位置を、選択した２個の衝突センサと等距離にある車両周上位置を境として複数の領域に分けたとき、各領域で異なる検出順序となる車両位置に配置し、
【０００６】
衝突時、前記少なくとも３個の衝突センサからの衝撃力の検出順序により自車への衝撃力の入力位置を特定する衝撃入力位置特定手段を設けたことを特徴とする。
【発明の効果】
【０００７】
よって、本発明の車両の衝突位置検出装置にあっては、少なくとも３個の衝突センサが、車両全周の衝撃入力位置を、選択した２個の衝突センサと等距離にある車両周上位置を境として複数の領域に分けたとき、各領域で異なる検出順序となる車両位置に配置される。そして、衝突時、衝撃入力位置特定手段において、少なくとも３個の衝突センサからの衝撃力の検出順序により自車への衝撃力の入力位置が特定される。
すなわち、自車への衝撃力の入力位置を特定するにあたって、衝突センサからの衝撃力の検出順序を用いた判別処理によるものであるため、積分演算等による演算処理時間を要さず、例えば、３個の衝突センサを配置した場合、２個目の衝突センサによる衝撃力の検出開始時点で３個の衝撃センサの検出順序が決定され、入力位置を特定することが可能である。したがって、衝突時、自車に対する衝撃力の入力位置が応答良く検出される。
例えば、前後方向の減速度ベクトルと左右方向の減速度ベクトルとの合力ベクトルにより衝突方向を検出する場合、２つのベクトルが確定するまでは検出される衝突方向がふらつき、応答良く衝突方向を検出しようとすると、衝突方向の検出精度が低くなる。
これに対し、本発明では、自車への衝撃力の入力位置を特定するにあたって、衝突センサからの衝撃力の検出順序により衝撃力の入力位置を特定するため、検出順序が確定した時点で衝撃力の入力位置を分けられた１つ領域に特定することができる。したがって、衝突時、自車に対する衝撃力の入力位置が精度良く検出される。
この結果、衝突時、自車に対する衝撃力の入力位置を、応答良く、かつ、精度良く検出することができる。
【発明を実施するための最良の形態】
【０００８】
以下、本発明の車両の衝突位置検出装置を実施するための最良の形態を、図面に示す実施例１に基づいて説明する。
【実施例１】
【０００９】
まず、構成を説明する。
図１は実施例１の衝突位置検出装置が適用されたハイブリッド車両（車両の一例）を示す全体システム図、図２は実施例１の衝突位置検出装置における３個の衝突センサの車両への設定位置を示す配置レイアウト図である。
【００１０】
実施例１のハイブリッド車両は、図１に示すように、ＣＰＵ101と、補助バッテリ102と、ブレーキアクチュエータ201と、機械ブレーキ202と、強電バッテリ301と、インバータ302と、モータ303と、発電機304と、エンジン305と、動力分割機構306と、アクセルセンサ401と、ブレーキセンサ402と、DC/DCコンバータ403と、前方衝突センサ501（第１衝突センサ）と、右側方衝突センサ502（第２衝突センサ）と、左側方衝突センサ503（第３衝突センサ）と、ヨーレートセンサ504（車両挙動検出手段）と、乗員保護装置505と、ＧＰＳ601と、外部発信器602と、を備えている。
【００１１】
前記ＣＰＵ101は、強電バッテリ301をモニタし、SOCや温度や劣化状態に応じて入出力可能電力量を算出し、これを基にインバータ302を制御することにより、モータ303（フロント駆動用）と発電機304を動作させると共に、エンジン305を制御する（モータ−エンジン間の駆動力配分含む）。
また、ＣＰＵ101は、モータ303による回生制動力を考慮し、機械ブレーキ202により発生する制動力演算指令値（前後制動力配分を含む）をブレーキアクチュエータ201へと送信する。
前記前方衝突センサ501と、前記右側方衝突センサ502と、前記左側方衝突センサ503の検出順序を確認し、２つのセンサ間の検出タイミングのずれ量（位相差）の大小を比較することにより、衝突時、衝撃力の車体入力位置を特定する。
上記衝撃力の入力位置情報に、ＧＰＳ601により検出した事故箇所を加え、外部発信器602により、消防署などのレスキュー部隊へ情報を送信する。
なお、自車速度は、モータ303の回転数により把握することを基本とする。
【００１２】
前記補助バッテリ102は、ＣＰＵ101の動作電源を提供する役目を有する。本システムでは、強電バッテリ301を電源としたDC/DCコンバータ403により電力を供給することとする。
【００１３】
前記ブレーキアクチュエータ201は、ＣＰＵ101により演算された機械ブレーキ202で発生させるべき摩擦制動力演算指令値を受信し、それに応じ、機械ブレーキ202に対し必要な油圧をかける。
【００１４】
前記機械ブレーキ202は、ブレーキアクチュエータ201により発生された油圧に応じ、制動力を発生させる。
【００１５】
前記強電バッテリ301は、モータ303に対し、インバータ302を経由して電力を供給することで車両走行をアシストすると共に、モータ303及び発電機304が発電した電力をインバータ302を経由して回収する役目を有する。
【００１６】
前記インバータ302は、ＣＰＵ101により直接制御されている。エンジン305の発生トルク及び回転数に応じて強電バッテリ301の電気エネルギーをモータ303へ供給すること、及び発電機304を動作させて発生した電気エネルギーを強電バッテリ301へと戻す役目を有する。なお、モータ303と発電機304とエンジン305は、遊星歯車機構（動力分割機構306に内蔵）に直結しているため、トルク及び回転数のバランスを保つように制御しないと車両を正常に作動させることができない。
【００１７】
前記モータ303は、車速が低い場合は単独で駆動トルクを発生させる。また、車速が高い場合は、エンジン305の駆動トルクをアシストしている。さらに、減速時は発電作用（回生制動）することにより電気エネルギーを発生させ、これをインバータ302を経由して強電バッテリ301へ戻す役目を有する。
【００１８】
前記発電機304は、ハイブリッド電気自動車は基本的にスタータを持たない。本システムを適用した車両始動時は、強電バッテリ301から電力を供給し、モータとして動作することでエンジン305の始動をサポートする。通常走行時は、モータ303とエンジン305とをバランスさせることで電気エネルギーを発生（発電）し、これを強電バッテリ301へ戻す。時には直接、モータ303へ供給することにより、急激な加速に対応することも可能である。
【００１９】
前記エンジン305は、ＣＰＵ101により直接制御されている。具体的には、車速が高い場合、車両駆動のためにトルクを発生させている（車速が低い場合はモータ走行となるため、制御不要：強いて挙げれば起動させない制御を適用している）。
【００２０】
前記動力分割機構306は、遊星歯車機構を有し、キャリアにはエンジン305、リングギヤにはモータ303、サンギヤには発電機304が直接接続している。従来システムのトランスミッション相当も内部に構成されている。
【００２１】
前記アクセルセンサ401は、ドライバーが加速時に踏み込んだアクセルペダルストローク量をＣＰＵ101へ送信する。
【００２２】
前記ブレーキセンサ402は、ドライバーが減速時時に踏み込んだブレーキペダルストローク量をＣＰＵ101へ送信する。
【００２３】
前記DC/DCコンバータ403は、強電バッテリ301からのエネルギーを12Vへと変換し、補助バッテリ102へと供給する。すなわち、従来のエンジン車両におけるオルタネータと同様の機能を有する。
【００２４】
前記前方衝突センサ501と右側方衝突センサ502と左側方衝突センサ503は、図２に示すように、車両全周の衝撃入力位置を、選択した２個の衝突センサと等距離にある車両周上位置を境として複数の領域に分けたとき、各領域で異なる検出順序となる車両位置に配置している（図４参照）。
前記前方衝突センサ501は、車両フロントの中央位置に配置し、主に前方からの衝撃を検出するために使用される。
前記右側方衝突センサ502は、車両中央部の右側位置に配置し、主に右側方からの衝撃を検出するために使用される。
前記左側方衝突センサ503は、車両中央部の左側位置に配置し、主に左側方からの衝撃を検出するために使用される。
これらの衝突センサ501,502,503としては、加減速を検出するような精度の高いＧセンサを要さないことで、例えば、エアバックシステムで用いられる作動スイッチのような、自車への所定値以上の衝撃力の入力に対しパルス信号を出力するオン/オフスイッチが用いられる。
【００２５】
前記ヨーレートセンサ504は、前記前方衝突センサ501と右側方衝突センサ502と左側方衝突センサ503により検出された衝突信号と、事故によるヨーモーメント発生状況を照合し、情報の精度を高めるために活用される。また、検出値により衝突後の車両挙動に付いても把握し、外部レスキュー部隊へと情報展開できるようにする。
【００２６】
前記乗員保護装置505は、エアバック、プリクラッシュシートベルトなど、衝突時に乗員への衝撃を低減させるアイテムの全てを示す。
実施例１では、乗員保護装置505として、運転席エアバックＡと、助手席エアバックＢと、右サイドエアバックＣと、左サイドエアバックＤが搭載されている（図８(b)を参照）。
【００２７】
前記ＧＰＳ601（Global Positioning System）は、実施例１のシステムにおいて、事故現場を特定する際に活用する。
【００２８】
前記外部発信器602は、事故現場、事故状態（衝突方法、検出ダイアグ）などをまとめ、消防署などのレスキュー部隊へと情報送信し、レスキュー作業の効率化を図る。
【００２９】
図３は実施例１のＣＰＵ101にて実行される衝撃入力位置特定処理、エアバック作動制御処理、事故情報発信処理の流れを示すフローチャートであり、以下、各ステップについて説明する。
【００３０】
ステップＳ１では、前方衝突センサ501と右側方衝突センサ502と左側方衝突センサ503の何れかにより衝突センサ信号を受信したか否かを判断し、Yesの場合はステップＳ２へ移行し、Noの場合はステップＳ１の判断を繰り返す。
【００３１】
ステップＳ２では、ステップＳ１での衝突センサ信号の受信という判断に続き、２つ目のセンサ信号を入力した時点で３個の前方衝突センサ501と右側方衝突センサ502と左側方衝突センサ503からの衝撃力の検出順序を確認し、確認した検出順序により自車への衝撃力の入力位置（領域にてあらわされる）を特定し、ステップＳ３へ移行する（衝撃入力位置特定手段）。
ここで、センサ検出順序による入力位置は、図４に示すように、前方衝突センサ501を(1)、右側方衝突センサ502を(2)、左側方衝突センサ503を(3)であらわしたとき、下記のように特定される。
まず、車両全周の衝撃入力位置を、選択した２個の衝突センサ(2),(3)と等距離にある車両周上位置P1,P2と、選択した２個の衝突センサ(1),(2)と等距離にある車両周上位置P3,P4と、選択した２個の衝突センサ(1),(3)と等距離にある車両周上位置P5,P6と、を境として６つの領域に分ける。
このとき、P1〜P3の右前方領域FRでは、(1)→(2)→(3)の検出順序となり、P1〜P4の左前方領域FLでは、(1)→(3)→(2)の検出順序となる。
P3〜P5の右側方領域SRでは、(2)→(1)→(3)の検出順序となり、P2〜P5の右後方領域RRでは、(2)→(3)→(1)の検出順序となる。
P4〜P6の左側方領域SLでは、(3)→(1)→(2)の検出順序となり、P2〜P6の左後方領域RLでは、(3)→(2)→(1)の検出順序となる。
そして、車両周上位置P1では、(1)→(2),(3)の検出順序となり、車両周上位置P2では、(2),(3)→(1)の検出順序となり、車両周上位置P3では、(1),(2)→(3)の検出順序となり、車両周上位置P4では、(1),(3)→(2)の検出順序となり、車両周上位置P5では、(2)→(1),(3)の検出順序となり、車両周上位置P6では、(3)→(1),(2)の検出順序となる。
【００３２】
ステップＳ３では、ステップＳ２での検出順序確認に続き、３つ目のセンサ信号を入力した時点でステップＳ２で決めた入力存在領域にてセンサ間の検出タイミングのずれ量である位相差により自車への衝撃力の入力位置を特定し、ステップＳ４へ移行する（衝撃入力位置特定手段）。
ここで、検出順序による領域特定（６領域）をさらに細分化して特定（１２領域）するのが位相差による入力位置の特定であり、図５〜図７に示す入力位置特定マップにより、図８に示す領域I〜IXのいずれかが特定される。
すなわち、衝突センサ(1)がはじめに検出した場合、図５に示すように、P1〜P3の右前方領域FRでは、(2)→(3)の位相差の大小により、図８に示す領域Iと領域IIと領域IXとに特定される。P1〜P4の左前方領域FLでは、(3)→(2)の位相差の大小により、図８に示す領域Iと領域IIIと領域IVとに特定される。
衝突センサ(2)がはじめに検出した場合、図６に示すように、P3〜P5の右側方領域SRでは、(1)→(3)の位相差の大小により、図８に示す領域Iと領域IIと領域IXとに特定される。P2〜P5の右後方領域RRでは、(3)→(1)の位相差の大小により、図８に示す領域Iと領域VIIと領域VIIIとに特定される。
衝突センサ(3)がはじめに検出した場合、図７に示すように、P4〜P6の左側方領域SLでは、(1)→(2)の位相差の大小により、図８に示す領域Iと領域IIIと領域IVとに特定される。P2〜P6の左後方領域RLでは、(2)→(1)の位相差の大小により、図８に示す領域Iと領域VIと領域Vとに特定される。
【００３３】
ステップＳ４では、ステップＳ３での入力位置の特定に続き、特定された入力位置に応じて乗員保護装置505である運転席エアバックＡと、助手席エアバックＢと、右サイドエアバックＣと、左サイドエアバックＤの作動タイミングを決定し、ステップＳ５へ移行する。
ここで、エアバックＡ，Ｂ，Ｃ，Ｄの作動タイミングは、図８に示す各領域毎に下記のように決定される。
領域I   ：Ａ＝Ｂ＝Ｃ＝Ｄ
領域II  ：Ａ⇒Ｂ⇒Ｄ⇒Ｃ
領域III ：Ｂ⇒Ａ⇒Ｃ⇒Ｄ
領域IV  ：Ｄ⇒Ｃ⇒Ａ＝Ｂ
領域V   ：Ｄ⇒Ｃ⇒Ａ＝Ｂ（＝領域IV）
領域VI  ：Ａ＝Ｂ⇒Ｃ＝Ｄ
領域VII ：Ａ＝Ｂ⇒Ｃ＝Ｄ（＝領域VI）
領域VIII：Ｃ⇒Ｄ⇒Ａ＝Ｂ
領域IX  ：Ｃ⇒Ｄ⇒Ａ＝Ｂ（＝領域VIII）
すなわち、車両のコーナー側へのオフセット衝突の場合は、エアバックを同時展開とするが、基本的に、特定された入力位置に近い位置のエアバックの展開を優先する展開順序により作動タイミングが設定される。
【００３４】
ステップＳ５では、ステップＳ４での乗員保護装置作動タイミングの決定に続き、決定されたタイミングにて４個のエアバックＡ，Ｂ，Ｃ，Ｄの作動を制御し、ステップＳ６へ移行する。なお、ステップＳ４及びステップＳ５は、乗員保護装置作動制御手段に相当する。
【００３５】
ステップＳ６では、ステップＳ５での乗員保護装置の作動に続き、モータ303の回転数を確認し、回転数がゼロ、つまり、車速がゼロ（＝衝突が終了）となったか否かを判断し、Yesの場合はステップＳ７へ移行し、Noの場合はステップＳ６での判断を繰り返す。
【００３６】
ステップＳ７では、ステップＳ６での車速ゼロとの判断に続き、衝突開始時から衝突完了までのヨーレートセンサ504による車両挙動検出結果に基づき、衝撃力の大きさ（事故の程度）を把握し、ステップＳ８へ移行する。
【００３７】
ステップＳ８では、ステップＳ７での衝突後挙動確認に続き、ＧＰＳ601からの情報と照合し、事故の発生場所及び事故後の車両が存在する場所を特定し、ステップＳ９へ移行する（事故位置特定手段）。なお、事故発生場所は、ログファイルの確認により特定することができる。
【００３８】
ステップＳ９では、ステップＳ８での事故位置確認に続き、衝突程度を切り分けられるダイアグ確認方法（自己診断コードの確認方法）に基づき、自車システムのダイアグ発生状況を確認し、ステップＳ１０へ移行する（ダイアグ確認手段）。
【００３９】
ステップＳ１０では、ステップＳ９でのダイアグ確認に続き、ダイアグ発生状況と事故位置を含む事故情報を整理し、外部発信器602を用いて外部レスキュー部隊へと発信し、終了へ移行する（事故情報発信手段）。
【００４０】
次に、作用を説明する。
［背景技術］
衝突時の乗員の安全性を確保する観点から乗員保護装置として、複数のエアバックやプリクラッシュシートベルトなどが車両に採用されている。しかし、例えば、衝突方向がどの方向であるかにかかわらず衝突時に複数のエアバックを同時タイミングで作動させるようにした場合、衝突方向によってはエアバックの同時展開が必ずしも適切であるとは限らない。このように、複数のエアバックの展開順序を適切に規定するため、衝突方向の情報を得たいという要求がある。
【００４１】
これに対し、特開平５−１９３４３９号公報には、図９に示すように、車両の前後方向の減速度を検出するXGセンサと、車両の左右方向の減速度を検出するYGセンサと、を備え、衝突時、XGセンサからの出力信号を時間について積分し、前後方向の減速度ベクトルを演算し、また、YGセンサからの出力信号を時間について積分し、左右方向の減速度ベクトルを演算し、前後方向の減速度ベクトルと左右方向の減速度ベクトルとの合力ベクトルを求め、衝突の大きさと方向を特定するものが記載されている。
【００４２】
しかしながら、上記衝突方向検出装置にあっては、XGセンサとYGセンサからの出力信号を時間について積分演算処理を必要とするものであるため、図１０に示すように、衝突方向を特定するためのベクトル計算に長い時間を要し、衝突方向を特定するまでに時間がかかってしまう。
【００４３】
このため、エアバックシステムに上記衝突方向検出装置を採用し、十分な演算処理時間を待って衝突方向を特定した場合、複数のエアバックの展開順序を規定すると、エアバックの展開タイミングが遅れてしまう。このため、例えば、図１０に示すように、同時タイミングによるエアバックの展開作動にせざるを得ない。
また、演算処理時間を短くして応答良く衝突方向を特定すれば、衝突方向の検出精度が低くなり、衝突方向を確認できず、複数のエアバックの展開順序を適切に規定できない。
【００４４】
［衝突時の衝撃力の入力位置特定作用］
これに対し、実施例１の衝突位置検出装置では、少なくとも３個以上の衝突センサを適切に車両に配置し、積分演算処理などを用いず、位置検出手法として迅速なセンサ検出順序の判別処理を採用することで、衝突時、自車に対する衝撃力の入力位置を、応答良く、かつ、精度良く検出することができるようにした。
【００４５】
すなわち、衝突時には、図３のフローチャートにおいて、ステップＳ１→ステップＳ２→ステップＳ３へと進み、ステップＳ２では、ステップＳ１での衝突センサ信号の受信という判断に続き、２つ目のセンサ信号を入力した時点で３個の衝突センサ501,502,503からの衝撃力の検出順序を確認し、確認した検出順序により自車への衝撃力の入力位置を特定する。
例えば、図１１に示すように、時刻t1にて前方衝突センサ501(1)を検出し、時刻t2にて右側方衝突センサ502(2)を検出し、時刻t3にて左側方衝突センサ503(3)を検出した場合、(1)→(2)→(3)の検出順序であるため、図４に示すように、自車への衝撃力の入力位置がP1〜P3の右前方領域FRであると特定される。
【００４６】
そして、ステップＳ３では、ステップＳ２での検出順序確認に続き、３つ目のセンサ信号を入力した時点でステップＳ２で決めた入力存在領域にてセンサ間の検出タイミングのずれ量である位相差により自車への衝撃力の入力位置を特定する。
例えば、図１１に示すように、P1〜P3の右前方領域FRで、かつ、衝突センサ(1)がはじめに検出した場合、図５に示すように、(2)→(3)の位相差Δtの大小により、図８に示す領域IIに特定される。
【００４７】
このように、自車への衝撃力の入力位置を特定するにあたって、衝突センサ(1),(2),(3)からの衝撃力の検出順序を用いた判別処理によるものであるため、積分演算等による演算処理時間を要さず、実施例１のように、３個の衝突センサ(1),(2),(3)を配置した場合、２個目の衝突センサによる衝撃力の検出開始時点で３個の衝撃センサの検出順序が決定され、入力位置を特定することが可能である。したがって、衝突時、自車に対する衝撃力の入力位置が応答良く検出される。
【００４８】
例えば、従来技術のように、前後方向の減速度ベクトルと左右方向の減速度ベクトルとの合力ベクトルにより衝突方向を検出する場合、２つのベクトルが確定するまでは検出される衝突方向がふらつき、応答良く衝突方向を検出しようとすると、衝突方向の検出精度が低くなる。
これに対し、実施例１では、自車への衝撃力の入力位置を特定するにあたって、衝突センサ(1),(2),(3)からの衝撃力の検出順序により衝撃力の入力位置を特定するため、検出順序が確定した時点で衝撃力の入力位置を、分けられた６領域の中から１つの領域に特定することができる。
【００４９】
さらに、実施例１では、自車への衝撃力の入力位置を特定するにあたって、衝突センサ(1),(2),(3)からの衝撃力の検出順序により衝撃入力位置の存在領域（６領域のうち１領域）を決め、かつ、決めた存在領域にて位相差により衝撃力の入力位置を特定（１２領域のうち１領域）するというように、「入力位置の存在領域決定」と「存在領域内での入力位置の細分特定」という２段階絞りによる入力位置検出手法を採用したため、衝突時、自車に対する衝撃力の入力位置が高精度に検出される。
【００５０】
上記のように、実施例１では、衝突時、自車に対する衝撃力の入力位置を検出する車両の衝突位置検出装置であって、自車への衝撃力を検出して信号を出力する少なくとも３個の衝突センサ501,502,503を備え、前記少なくとも３個の衝突センサ501,502,503は、車両全周の衝撃入力位置を、選択した２個の衝突センサと等距離にある車両周上位置を境として複数の領域に分けたとき、各領域で異なる検出順序となる車両位置に配置し、衝突時、前記少なくとも３個の衝突センサ501,502,503からの衝撃力の検出順序により自車への衝撃力の入力位置を特定する衝撃入力位置特定手段（ステップＳ２）を設けた。
このため、衝突時、自車に対する衝撃力の入力位置を、応答良く、かつ、精度良く検出することができる。
【００５１】
実施例１の衝突位置検出装置において、前記衝撃入力位置特定手段（ステップＳ２，ステップＳ３）は、衝突時、前記少なくとも３個の衝突センサ501,502,503からの衝撃力の検出順序により自車への衝撃力の入力存在領域を決め、決めた入力存在領域にてセンサ間の検出タイミングのずれ量である位相差により自車への衝撃力の入力位置を特定する。
例えば、衝突センサの検出順序のみにより衝撃力の入力位置を特定する場合、３個の衝突センサ501,502,503を用いると、入力位置は６領域のいずれかという特定となり、粗い特定となる。
これに対し、位相差による衝撃力の入力位置の特定手法を加えることで、３個の衝突センサ501,502,503を用いると、入力位置は６領域から１２領域に細分化された特定となり、高精度にて自車に対する衝撃力の入力位置を特定することができる。
【００５２】
実施例１の衝突位置検出装置において、前記衝突センサとして、車両フロントの中央位置に配置した第１衝突センサ501と、車両中央部の右側位置に配置した第２衝突センサ502と、車両中央部の左側位置に配置した第３衝突センサ503と、を用いた。
これによって、図４に示すように、車両全周のうち、車両前半分を右前方領域FRと、左前方領域FLと、右側方領域SRと、右後方領域RRと、の４つの領域に分け、車両後半分を左側方領域SLと、左後方領域RLと、の２つの領域に分けることができる。
このように、最小数である３個の衝突センサ501,502,503を用いながら、車両前半分への衝突を重視した領域分けとなり、自車の前方部や左右側部への衝突時、運転席及び助手席乗員を主体として搭載される乗員保護装置505の作動順序を適切に決めることができる。
【００５３】
実施例１の衝突位置検出装置において、前記第１衝突センサ501、第２衝突センサ502、第３衝突センサ503は、自車への所定値以上の衝撃力の入力に対しパルス信号を出力するオン/オフスイッチである。
例えば、衝突センサとして、従来技術のように、減速度を精度良く検出するようなＧセンサを用いた場合、１個のセンサ単価が高価となり、システムのコストアップとなる。
これに対し、３個の衝突センサ501,502,503をオン/オフスイッチとしたことで、低コストのシステムにて、衝突時、応答良く、かつ、高精度に自車に対する衝撃力の入力位置情報を取得することができる。
【００５４】
［エアバック作動制御作用］
自車に対する衝撃力の入力位置が特定されると、図３のフロートチャートにおいて、ステップＳ３からステップＳ４→ステップＳ５へと進む流れとなる。ステップＳ４では、特定された入力位置に応じて乗員保護装置505である運転席エアバックＡと、助手席エアバックＢと、右サイドエアバックＣと、左サイドエアバックＤの作動タイミングを決定し、ステップＳ５では、決定されたタイミングにて４個のエアバックＡ，Ｂ，Ｃ，Ｄの作動が制御される。
【００５５】
例えば、(1)→(2)→(3)の検出順序で、自車への衝撃力の入力位置がP1〜P3の右前方領域FRのうち、領域IIであると特定された場合、図１１に示すように、時刻t3のタイミングにて運転席エアバックＡが展開され、時刻t4のタイミングにて助手席エアバックＢが展開され、時刻t5のタイミングにて左サイドエアバックＤが展開され、時刻t6のタイミングにて右サイドエアバックＣが展開される。
【００５６】
すなわち、特定された入力位置である領域IIに最も近い運転席エアバックＡが最初に展開され、次に近い助手席エアバックＢが展開され、その後、左サイドエアバックＤと右サイドエアバックＣが展開されるというように、衝撃力の入力位置に近い位置のエアバックの展開を優先する展開順序により作動タイミングが設定される。これによって、エアバックＡ，Ｂ，Ｃ，Ｄによる乗員保護機能を最大限に引き出すことができる。
【００５７】
上記のように、実施例１の衝突位置検出装置において、車両に衝突時に乗員を保護する複数の乗員保護装置505と、前記衝撃入力位置特定手段（ステップＳ２，Ｓ３）により自車への衝撃力の入力位置が特定された場合、特定された入力位置に応じて複数の乗員保護装置505の作動タイミングを設定し、設定されたタイミングにて複数の乗員保護装置の作動を制御する乗員保護装置作動制御手段（ステップＳ４，Ｓ５）と、を設けた。
このため、応答良く、かつ、精度良く特定された入力位置に応じ、最適のタイミングにて乗員保護装置505を作動させることができる。
【００５８】
実施例１の衝突位置検出装置において、前記複数の乗員保護装置505は、運転席エアバックＡと、助手席エアバックＢと、右サイドエアバックＣと、左サイドエアバックＤであり、前記乗員保護装置作動制御手段（ステップＳ４，Ｓ５）は、前記衝撃入力位置特定手段（ステップＳ２，Ｓ３）により自車への衝撃力の入力位置が特定された場合、特定された入力位置に近い位置のエアバックの展開を優先する展開順序により作動タイミングを設定し、設定されたタイミングにて複数のエアバックＡ，Ｂ，Ｃ，Ｄの作動を制御する。
このため、衝突時、乗員保護機能を最大限に引き出しながら、効果的にエアバックＡ，Ｂ，Ｃ，Ｄを展開作動させることができる。
【００５９】
［事故情報発信作用］
エアバックＡ，Ｂ，Ｃ，Ｄが展開作動されると、図３のフローチャートにおいて、ステップＳ５からステップＳ６へと進み、ステップＳ６では、車速がゼロ（＝衝突が終了）となったか否かが判断される。そして、衝突終了と判断されると、ステップＳ６からステップＳ７→ステップＳ８→ステップＳ９→ステップＳ１０へと進む。ステップＳ７では、衝突開始時から衝突完了までのヨーレートセンサ504による車両挙動検出結果に基づき、衝撃力の大きさ（事故の程度）が把握される。ステップＳ８では、ＧＰＳ601からの情報と照合し、事故の発生場所及び事故後の車両が存在する場所が特定される。テップＳ９では、衝突程度を切り分けられるダイアグ確認方法に基づき、自車システムのダイアグ発生状況が確認される。ステップＳ１０では、ダイアグ発生状況と事故位置を含む事故情報を整理し、外部発信器602を用いて外部レスキュー部隊へと発信される。
【００６０】
例えば、図１１の時刻t7にて車速がゼロ（＝衝突が終了）と判定された場合、直後の時刻t8にて検出情報が確定し、時刻t8から時刻t9にて確定した検出情報に基づきヨーレート情報とＧＰＳ情報が確認される。そして、時刻t9にてダイアグチェックが開始され、時刻t10にてダイアグチェックが終了し、時刻t11から時刻t12まで情報が発信されることになる。
【００６１】
このように、事故状況を詳細にまとめ、外部へと伝達できるようにしたため、事故現場に来てから事故情報を特定するのではなく、事前に事故情報収集することが可能となり、レスキュー作業の効率化を図ることができる。
【００６２】
上記のように、実施例１の衝突位置検出装置において、車両挙動を検出するヨーレートセンサ504（車両挙動検出手段）と、前記衝撃入力位置特定手段（ステップＳ２，Ｓ３）により自車への衝撃力の入力位置が特定された場合、衝突開始時から衝突完了までの前記ヨーレートセンサ504による車両挙動検出結果に基づき、衝撃力の大きさを把握する衝撃力把握手段（ステップＳ７）と、を設けた。
このため、ヨーレートセンサ504が予め搭載されている車両では、このヨーレートセンサ504からの検出値を活用して衝撃力の大きさである事故程度を把握することができる。
【００６３】
実施例１の衝突位置検出装置において、衝突完了後、事故発生場所及び事故後に車両が存在する場所を特定する事故位置特定手段（ステップＳ８）と、前記衝撃力把握手段により把握された衝撃力の大きさに応じて衝突程度を決め、衝突程度を切り分けられるダイアグ確認方法に基づき、自車システムのダイアグ発生状況を確認するダイアグ確認手段（ステップＳ９）と、確認したダイアグ発生状況と事故位置を含む事故情報を外部レスキュー部隊へと発信する事故情報発信手段（ステップＳ１０）と、を設けた。
このように、事故状況を詳細にまとめ、外部へと伝達されるため、事故現場に来てから事故情報を特定するのではなく、事前に事故情報収集することが可能となり、レスキュー部隊が素早く事故現場へと到着し、直ちに適切な対応処理を開始することができるというように、レスキュー作業の効率化を図ることができる。
【００６４】
次に、効果を説明する。
実施例１のハイブリッド車両の衝突位置検出装置にあっては、下記に列挙する効果を得ることができる。
【００６５】
(1) 衝突時、自車に対する衝撃力の入力位置を検出する車両の衝突位置検出装置であって、自車への衝撃力を検出して信号を出力する少なくとも３個の衝突センサ501,502,503を備え、前記少なくとも３個の衝突センサ501,502,503は、車両全周の衝撃入力位置を、選択した２個の衝突センサと等距離にある車両周上位置を境として複数の領域に分けたとき、各領域で異なる検出順序となる車両位置に配置し、衝突時、前記少なくとも３個の衝突センサ501,502,503からの衝撃力の検出順序により自車への衝撃力の入力位置を特定する衝撃入力位置特定手段（ステップＳ２）を設けたため、衝突時、自車に対する衝撃力の入力位置を、応答良く、かつ、精度良く検出することができる。
【００６６】
(2) 前記衝撃入力位置特定手段（ステップＳ２，ステップＳ３）は、衝突時、前記少なくとも３個の衝突センサ501,502,503からの衝撃力の検出順序により自車への衝撃力の入力存在領域を決め、決めた入力存在領域にてセンサ間の検出タイミングのずれ量である位相差により自車への衝撃力の入力位置を特定するため、検出順序のみの特定に比べ、入力位置が細分化された特定となり、高精度にて自車に対する衝撃力の入力位置を特定することができる。
【００６７】
(3) 前記衝突センサとして、車両フロントの中央位置に配置した第１衝突センサ501と、車両中央部の右側位置に配置した第２衝突センサ502と、車両中央部の左側位置に配置した第３衝突センサ503と、を用いたため、最小数である３個の衝突センサ501,502,503を用いながら、車両前半分への衝突を重視した領域分けとなり、自車の前方部や左右側部への衝突時、運転席及び助手席乗員を主体として搭載される乗員保護装置505の作動順序を適切に決めることができる。
【００６８】
(4) 前記第１衝突センサ501、第２衝突センサ502、第３衝突センサ503は、自車への所定値以上の衝撃力の入力に対しパルス信号を出力するオン/オフスイッチであるため、低コストのシステムにて、衝突時、応答良く、かつ、高精度に自車に対する衝撃力の入力位置情報を取得することができる。
【００６９】
(5) 車両に衝突時に乗員を保護する複数の乗員保護装置505と、前記衝撃入力位置特定手段（ステップＳ２，Ｓ３）により自車への衝撃力の入力位置が特定された場合、特定された入力位置に応じて複数の乗員保護装置505の作動タイミングを設定し、設定されたタイミングにて複数の乗員保護装置の作動を制御する乗員保護装置作動制御手段（ステップＳ４，Ｓ５）と、を設けたため、応答良く、かつ、精度良く特定された入力位置に応じ、最適のタイミングにて乗員保護装置505を作動させることができる。
【００７０】
(6) 前記複数の乗員保護装置505は、運転席エアバックＡと、助手席エアバックＢと、右サイドエアバックＣと、左サイドエアバックＤであり、前記乗員保護装置作動制御手段（ステップＳ４，Ｓ５）は、前記衝撃入力位置特定手段（ステップＳ２，Ｓ３）により自車への衝撃力の入力位置が特定された場合、特定された入力位置に近い位置のエアバックの展開を優先する展開順序により作動タイミングを設定し、設定されたタイミングにて複数のエアバックＡ，Ｂ，Ｃ，Ｄの作動を制御するため、衝突時、乗員保護機能を最大限に引き出しながら、効果的にエアバックＡ，Ｂ，Ｃ，Ｄを展開作動させることができる。
【００７１】
(7) 車両挙動を検出するヨーレートセンサ504（車両挙動検出手段）と、前記衝撃入力位置特定手段（ステップＳ２，Ｓ３）により自車への衝撃力の入力位置が特定された場合、衝突開始時から衝突完了までの前記ヨーレートセンサ504による車両挙動検出結果に基づき、衝撃力の大きさを把握する衝撃力把握手段（ステップＳ７）と、を設けたため、ヨーレートセンサ504が予め搭載されている車両では、このヨーレートセンサ504からの検出値を活用して衝撃力の大きさである事故程度を把握することができる。
【００７２】
(8) 衝突完了後、事故発生場所及び事故後に車両が存在する場所を特定する事故位置特定手段（ステップＳ８）と、前記衝撃力把握手段により把握された衝撃力の大きさに応じて衝突程度を決め、衝突程度を切り分けられるダイアグ確認方法に基づき、自車システムのダイアグ発生状況を確認するダイアグ確認手段（ステップＳ９）と、確認したダイアグ発生状況と事故位置を含む事故情報を外部レスキュー部隊へと発信する事故情報発信手段（ステップＳ１０）と、を設けたため、事故現場に来てから事故情報を特定するのではなく、事前に事故情報収集することが可能となり、レスキュー作業の効率化を図ることができる。
【００７３】
以上、本発明の車両の衝突位置検出装置を実施例１に基づき説明してきたが、具体的な構成については、この実施例１に限られるものではなく、特許請求の範囲の各請求項に係る発明の要旨を逸脱しない限り、設計の変更や追加等は許容される。
【００７４】
実施例１では、３個の衝突センサを用い、各センサを結んだ線にて二等辺三角形が描かれる例を示したが、例えば、図１２に示すように、４個の衝突センサを用い、各センサを結んだ線にて四角形が描かれる例としても良い。この図１２に示す例の場合、２個の衝突センサと等距離にある車両周上位置が８つの位置（黒丸にて示す）となり、検出順序が異なる領域として車両周上が８つの領域に分けられる。
【００７５】
実施例１では、検出順序により特定された入力位置を、２つの衝突センサでの位相差により細分化する好ましい例を示したが、検出順序のみにより衝撃力の入力位置を特定するようにしても良い。要するに、衝突時、少なくとも３個の衝突センサからの衝撃力の検出順序により自車への衝撃力の入力位置を特定する衝撃入力位置特定手段を設けたものであれば、本発明に含まれる。
【００７６】
実施例１では、衝突センサとして衝撃力を検出するスイッチを用いる例を示したが、衝撃力の入力位置からの設定距離に応じ時間差を持って衝撃の入力を検出することができるものであれば、例えば、衝撃音を検出する音センサや衝撃振動を検出する振動センサ等を用いても良い。
【産業上の利用可能性】
【００７７】
実施例１では、前輪駆動ベースによるハイブリッド車両への適用例を示したが、後輪駆動ベースによるハイブリッド車両やハイブリッド四輪駆動車にも適用することができるし、さらに、エンジン車や電気自動車や燃料電池車等にも適用することができる。
【図面の簡単な説明】
【００７８】
【図１】実施例１の衝突位置検出装置が適用されたハイブリッド車両を示す全体システム図である。
【図２】実施例１の衝突位置検出装置における３個の衝突センサの車両への設定位置を示す配置レイアウト図である。
【図３】実施例１のＣＰＵにて実行される衝撃入力位置特定処理、エアバック作動制御処理、事故情報発信処理の流れを示すフローチャートである。
【図４】実施例１において検出順序による衝撃入力位置特定する場合の入力位置領域分けを示す図である。
【図５】実施例１において衝突センサ(1)がはじめに検出した場合のセンサ(2)とセンサ(3)による位相差により衝撃入力位置特定する場合の入力位置特定マップの一例を示す図である。
【図６】実施例１において衝突センサ(2)がはじめに検出した場合のセンサ(1)とセンサ(3)による位相差により衝撃入力位置特定する場合の入力位置特定マップの一例を示す図である。
【図７】実施例１において衝突センサ(3)がはじめに検出した場合のセンサ(1)とセンサ(2)による位相差により衝撃入力位置特定する場合の入力位置特定マップの一例を示す図である。
【図８】実施例１において位相差により衝撃入力位置特定する場合の入力位置領域分けを示す図及びエアバックのレイアウト図である。
【図９】従来のＧセンサを２つ使用する衝突方向検出のための車両システムを示す図である。
【図１０】従来例システムにおけるXGセンサ検出、YGセンサ検出、衝突方向特定、Fr運転席側エアバック、Fr助手席側エアバック、右側サイドエアバック、左側サイドエアバックの各動作の一例を示すタイムチャートである。
【図１１】実施例１の衝突位置検出装置を搭載したシステムにおける衝突センサ(1)検出、衝突センサ(2)検出、衝突センサ(3)検出、Fr運転席側エアバック、Fr助手席側エアバック、右側サイドエアバック、左側サイドエアバック、車速センサ検出値、ヨーレートセンサ検出、ＧＰＳ情報確認、ダイアグチェック、情報発信の各動作の一例を示すタイムチャートである。
【図１２】衝突センサを４つ使用する車両システムの一例を示す図である。
【符号の説明】
【００７９】
101  ＣＰＵ
102  補助バッテリ
201  ブレーキアクチュエータ
202  機械ブレーキ
301  強電バッテリ
302  インバータ
303  モータ
304  発電機
305  エンジン
306  動力分割機構
401  アクセルセンサ
402  ブレーキセンサ
403  DC/DCコンバータ
501  前方衝突センサ（第１衝突センサ）
502  右側方衝突センサ（第２衝突センサ）
503  左側方衝突センサ（第３衝突センサ）
504  ヨーレートセンサ（車両挙動検出手段）
505  乗員保護装置
601  ＧＰＳ
602  外部発信器
【図１】
2007176307.tif 000003
【図２】
2007176307.tif 000004
【図３】
2007176307.tif 000005
【図４】
2007176307.tif 000006
【図５】
2007176307.tif 000007
【図６】
2007176307.tif 000008
【図７】
2007176307.tif 000009
【図８】
2007176307.tif 000010
【図９】
2007176307.tif 000011
【図１０】
2007176307.tif 000012
【図１１】
2007176307.tif 000013
【図１２】
2007176307.tif 000014